【手続補正書】
【提出日】平成16年12月27日(2004.12.27)
【手続補正１】
【補正対象書類名】特許請求の範囲
【補正対象項目名】全文
【補正方法】変更
【補正の内容】
【特許請求の範囲】
【請求項１】
ディスク媒体を保持して回転させるターンテーブルと、前記ディスク媒体に対する情報の書き込み及び読み取りの少なくとも一方を行う光ピックアップと、これらを支持するトラバースシャーシとを有するトラバースユニットと、
前記ディスク媒体を収容位置と排出位置との間で搬送する搬送手段と、
前記トラバースユニットを、前記収容位置における前記ディスク媒体に対して接近及び離間するよう回動可能に支持するメインシャーシと
を備え、
前記トラバースシャーシは、前記回動のための互いに同軸の一対の回動軸を有し、
前記メインシャーシは、
前記搬送手段による前記ディスク媒体の搬送方向と略平行な方向に開口し、前記一対の回動軸が前記ディスク媒体の前記搬送方向と略平行な方向に挿入される一対の溝部と、
前記ディスク媒体の前記搬送方向と略平行な方向に延在し、前記一対の回動軸を前記一対の溝部から脱落しないように位置規制する弾性変形可能な一対の位置規制部材とを有し、
前記一対の位置規制部材のそれぞれが、前記一対の回動軸を前記一対の溝部に挿入できるよう前記位置規制部材を弾性変形させるために操作されるピンを有していること
を特徴とするディスク装置。
【手続補正２】
【補正対象書類名】明細書
【補正対象項目名】全文
【補正方法】変更
【補正の内容】
【発明の詳細な説明】
【発明の名称】ディスク装置
【技術分野】
【０００１】
本発明は、コンパクトディスクプレーヤ等における情報の記録及び／又は再生に用いられ、ディスク状の情報記録媒体に対する情報の書き込み及び／又は読み取りを行うディスク装置に関する。
【背景技術】
【０００２】
従来より、ディスク装置において、ディスク状の情報記録媒体（以下、ディスク媒体とする。）を、装置内部の収容位置と装置外部の排出位置との間で搬送するローディング機構を備えたものが知られている（特許文献１を参照）。このようなディスク装置では、搬送されるディスク媒体との干渉を回避するため、ディスク媒体を回転させるターンテーブル及び光ピックアップ等は、上下方向に移動するベース（中間ベースとする。）に取り付けられている。
【０００３】
【特許文献１】特開２００２−９３０１３号公報（第７頁、図２−４）
【発明の開示】
【発明が解決しようとする課題】
【０００４】
このような従来のディスク装置では、中間ベースの両側部に一対の軸部が形成されており、これらの軸部が、ディスク装置の装置ベースに形成された支持部に嵌合している。支持部は、上方に開口した半円形の切り欠きであり、この支持部に対して軸部が上方から嵌合するようになっている。また、支持部の近傍には、軸部を支持部から脱落しないように付勢する付勢機構が設けられている。このように構成されているため、ディスク装置が落下等により衝撃を受けると、その衝撃により支持部及び付勢機構が変形して軸部が支持部から脱落し、その結果、中間ベースに支持されるユニット全体（ターンテーブル及び光ピックアップ等を含む）が装置ベースから脱落するという問題がある。
【０００５】
本発明は上記のような課題を解消するためになされたもので、落下等の衝撃によるユニットの脱落を防止できるディスク装置を提供することを目的とする。
【課題を解決するための手段】
【０００６】
本発明に係るディスク装置は、ディスク媒体を保持して回転させるターンテーブルと、ディスク媒体に対する情報の書き込み及び読み取りの少なくとも一方を行う光ピックアップと、これらを支持するトラバースシャーシとを有するトラバースユニットと、ディスク媒体を収容位置と排出位置との間で搬送する搬送手段と、トラバースユニットを収容位置におけるディスク媒体に対して接近及び離間するように回動可能に支持するメインシャーシとを備えている。トラバースシャーシは、回動のための互いに同軸の一対の回動軸を有している。メインシャーシは、搬送手段によるディスク媒体の搬送方向と略平行な方向に開口し、一対の回動軸がディスク媒体の搬送方向と略平行な方向に挿入される一対の溝部と、ディスク媒体の搬送方向と略平行な方向に延在し、一対の回動軸を一対の溝部から脱落しないように位置規制する弾性変形可能な一対の位置規制部材とを有している。一対の位置規制部材のそれぞれが、一対の回動軸を一対の溝部に挿入できるよう位置規制部材を弾性変形させるために操作されるピンを有している。
【発明の効果】
【０００７】
この発明によれば、各支持部への回動軸の挿入方向が、ディスク媒体の搬送方向と略平行な方向であるため、落下等により最も強い衝撃を受ける方向（ディスク媒体の搬送方向と略直交する方向）の回動軸の脱落を抑制することができ、これによりディスク装置からのトラバースユニットの脱落を防止することができる。また、回動軸を溝部に挿入する際には、ピンを操作することで位置規制部材を弾性変形させることができるため、回動軸の溝部への挿入作業が簡単になる。
【発明を実施するための最良の形態】
【０００８】
本発明の実施の形態について説明する前に、本発明の技術的背景について説明する。
図１は、ディスク装置を示す斜視図である。ディスク装置は、メインシャーシ１０と、メインシャーシ１０により回動可能に支持されたトラバースシャーシ２０と、メインシャーシ１０により往復移動可能に支持されたトレイ４とを備えている。トレイ４は、ディスク媒体１００を水平に保持する載置面４０を有しており、ディスク装置内の収容位置とディスク装置外の排出位置との間で水平に搬送する。
【０００９】
以下の説明では、図１に示すように、トレイ４の載置面４０に直交する方向をＺ軸とし、トレイ４の移動方向をＹ軸とする。また、Ｙ軸及びＺ軸に直交する方向をＸ軸とする。ここで、Ｚ軸については、トレイ４からディスク媒体１００に向かう方向をプラスとし、その反対方向をマイナスとする。Ｙ軸については、トレイ４が排出位置に向かって移動する方向をマイナスとし、その反対方向をプラスとする。Ｘ軸については、図１において右上に向かう方向をプラスとし、左下に向かう方向をマイナスとする。なお、図１及び後述する図８は、Ｚ軸方向プラス側が上になるように示されている。これは、ディスク装置がコンパクトディスクプレーヤ等のシステム９（図８）に組み込まれたときの姿勢である。一方、他の図面は、Ｚ軸方向マイナス側が上になるように示されている。これは、メインシャーシ１０にトラバースシャーシ２０を組み込む作業を行うときの姿勢である。
【００１０】
トラバースシャーシ２０には、ターンテーブル３０が設けられている。このターンテーブル３０は、トラバースシャーシ２０に取り付けられたモータ（図示せず）の回転軸に固定されている。ターンテーブル３０の上端面には、リング状板金３１が固定されている。トレイ４を挟んでメインシャーシ１０と反対の側には、クランプ板１８が設けられている。クランプ板１８は、Ｘ軸方向の両端部に形成された一対の脚部１８ａ（図１では一方のみ示す）によりメインシャーシ１０に固定されている。クランプ板１８のＸ軸方向中央部には、ターンテーブル３０との間でディスク媒体１００を挟持するクランパ３２が取り付けられている。クランパ３２は、その内側に、ターンテーブル３０のリング状板金３１を磁気的に吸着するためのマグネット３３を備えている。
【００１１】
トラバースシャーシ２０には、ターンテーブル３０上で保持されるディスク媒体１００に対向するように、光ピックアップ３５が設けられている。この光ピックアップ３５は、ディスク媒体１００に対する情報の書き込み、ディスク媒体１００に記録された情報の読み取り、又はその両方を行うものである。ピックアップ３５は、トラバースシャーシ２０に設けられた図示しないピックアップ駆動機構により、ディスク媒体１００の半径方向に移動される。トラバースシャーシ２０、ターンテーブル３０、光ピックアップ３５及びピックアップ駆動機構は、トラバースユニット２を構成する。
【００１２】
図２〜図６は、Ｚ軸方向マイナス側を上、Ｙ軸方向プラス側を右下にして示す斜視図である。図２は、トラバースシャーシ２０を示す。図３は、トラバースユニット２が取り外された状態のディスク装置を示し、図４は、トラバースユニット２が組み込まれる直前のディスク装置を示す。図５は、トラバースユニット２が組み込まれたディスク装置を示し、図６は、トレイ４が排出位置にあるときのディスク装置を示す。図７は、ディスク装置による効果を模式的に示す概略図であり、Ｚ軸方向マイナス側を上、Ｘ軸方向プラス側を右にして示すものである。
【００１３】
図２に示すように、トラバースシャーシ２０は、Ｚ軸方向に見て略矩形状であり、Ｘ軸方向に延びた外周壁２０１，２０３と、これら外周壁２０１，２０３に直交する外周壁２０２，２０４とを有している。外周壁２０１〜２０４に囲まれた領域には、各種駆動系を組み込むための装着部２０５、並びに光ピックアップ３５及びピックアップ駆動機構（図示せず）を取り付ける開口部２０６等が形成されている。外周壁２０２，２０４のＹ軸方向プラス側の端部近傍には、ボス２１ａ，２１ｂがそれぞれ突出形成されている。ボス２１ａ，２１ｂは、外周壁２０２，２０４からＸ軸方向外側に向けて互いに同軸に突出している。図４又は図７に示すように、ボス２１ａ，２１ｂの先端近傍には、Ｚ軸方向のプラス側に突出する突起２２ａ，２２ｂが形成されている。また、ボス２１ａ，２１ｂの根元近傍には、補強板２４ａ，２４ｂが形成されている。
【００１４】
図３に示すように、メインシャーシ１０は、Ｚ軸方向に見て略矩形状であり、Ｘ軸方向に延びた外周壁１０１，１０３と、Ｙ軸方向に延びた外周壁１０２，１０４とを有している。外周壁１０２，１０４の内側には、外周壁１０３からＹ軸方向マイナス側に延びた一対の側壁１１ａ，１１ｂが形成されている。側壁１１ａと外周壁１０２との間には天板１０５が形成されており、側壁１１ｂと外周壁１０４との間には天板１０６が形成されている。
【００１５】
側壁１１ａ，１１ｂにおいて、ボス２１ａ，２１ｂに対向する位置には、トラバースシャーシ２０のボス２１ａ，２１ｂを支持する溝部１２ａ，１２ｂが形成されている。溝部１２ａ，１２ｂは、Ｚ軸方向マイナス側に開口する矩形の切欠きであり、それぞれの内側にボス２１ａ，２１ｂが挿入されるようになっている。また、図５に示すように、溝部１２ａ，１２ｂにボス２１ａ，２１ｂが挿入されると、ボス２１ａ，２１ｂの先端に突出形成された突起２２ａ，２２ｂが側壁１１ａ，１１ｂのＸ軸方向外側の面に当接可能に対向している。
【００１６】
図４に示すように、溝部１２ａ，１２ｂのＸ軸方向外側には、弾性爪１３ａ，１３ｂが設けられている。この弾性爪１３ａ，１３ｂは、天板１０５，１０６からＺ軸方向におけるマイナス側に突出するようそれぞれ形成された長尺部材である。弾性爪１３ａ，１３ｂの先端には、Ｘ軸方向内側に突出した突出部１４ａ，１４ｂがそれぞれ形成されている。突出部１４ａ，１４ｂは、ボス２１ａ，２１ｂを溝部１２ａ，１２ｂから脱落しないよう保持する。突出部１４ａ，１４ｂの互いに対向する側の面は、Ｚ軸方向プラス側にいくほどＸ軸方向内側に突出するような傾斜を有している。この傾斜面よりもさらにＺ軸方向プラス側には、ＸＹ平面に平行でＺ軸方向プラス側を向く水平面が形成されている。溝部１２ａ，１２ｂにボス２１ａ，２１ｂを挿入する際には、ボス２１ａ，２１ｂが突出部１４ａ，１４ｂの傾斜面に当接することにより、弾性爪１３ａ，１３ｂが互いに離間する方向に弾性変形する。ボス２１ａ，２１ｂが突出部１４ａ，１４ｂの間を通過して溝部１２ａ，１２ｂ内に挿入されると、弾性爪１３ａ，１３ｂが元の状態に復帰し、上述した水平面によりボス２１ａ，２１ｂを溝部１２ａ，１２ｂ内で保持する。なお、側壁１１ａ、溝部１２ａ及び弾性爪１３ａを、ボス支持部１ａ（図７）とする。また、側壁１１ｂ、溝部１２ｂ及び弾性爪１３ｂを、ボス支持部１ｂ（図７）とする。
【００１７】
トラバースシャーシ２０の外周壁２０１には、カムピン２３が立設されている。メインシャーシ１０の外周壁１０１の内側には、トラバースシャーシ２０のカムピン２３に係合するカム溝１６を備えたカム部材１５が設けられている。このカム部材１５は、図示しないカム駆動機構によりＸ軸方向に往復移動する。このカム部材１５の移動に伴って、カムピン２３が略Ｚ軸方向に移動し、トラバースシャーシ２０がボス２１ａ，２１ｂを中心として回動する。なお、カムピン２３は、カム溝１６に係合するだけでなく、メインシャーシ１０に形成されたＺ軸方向に延びた位置決め溝１９にも係合し、トラバースシャーシ２０のＸ軸方向における位置決めを行うようになっている。
【００１８】
トラバースシャーシ２０の回動は、ターンテーブル３０や光ピックアップ３５と、ＸＹ平面内で水平移動するトレイ４（及び搬送されるディスク媒体１００）との干渉を回避するために行われる。すなわち、トラバースシャーシ２０がＸＹ平面に対して平行になっているときには、ターンテーブル３０はディスク媒体１００の中心部に係合可能となり、光ピックアップ３５はディスク媒体１００に対向する。一方、図６に示すようにトレイ４がディスク媒体１００を搬送する際には、トラバースシャーシ２０はＸＹ平面に対して傾斜しており、この状態では、ターンテーブル３０や光ピックアップ３５は、トレイ４及びディスク媒体１００の移動範囲から下方に退避している。
【００１９】
次に、このように構成されたディスク装置の動作について説明する。ディスク媒体１００がディスク装置に挿入される前の状態では、トラバースユニット２はＸＹ平面に対して傾斜している。ディスク媒体１００をディスク装置に収容する際には、図６に示すように、トレイ４が、図示しないローディング機構によりディスク装置の外部の排出位置まで移動する。次いで、使用者がトレイ４上にディスク媒体１００を載せたのち、トレイ４が排出位置からディスク装置内の収容位置まで移動する。次いで、図示しないカム駆動機構によりカム部材１５が移動し、これによりトラバースシャーシ２０がボス２１ａ，２１ｂを中心に回動し、ＸＹ平面に対して平行になる（図１、図５）。次いで、図１に示すように、ターンテーブル３０が、トレイ４に保持されたディスク媒体１００の中心部に係合する。ターンテーブル３０及びクランパ３２は、リング状板金３１とマグネット３３との磁気的な吸引力により、ディスク媒体１００を挟持する。ターンテーブル３０によりディスク媒体１００が回転すると、光ピックアップ３５が図示しないピックアップ駆動機構によりディスク媒体１００の外周と内周との間で移動し、ディスク媒体１００に対する情報の書き込み、読み取り又はその両方が行われる。
【００２０】
ディスク媒体１００をディスク装置外に排出する際には、カム部材１５の移動によりトラバースシャーシ２０がボス２１ａ，２１ｂを中心として回動し、ＸＹ平面に対して傾斜する。これにより、トラバースシャーシ２０に保持されたターンテーブル３０及び光ピックアップ３５がディスク媒体１００から下方に離間する。そののち、図３に示すようにトレイ４が排出位置に移動し、使用者がトレイ４上からディスク媒体１００を取り出したのち、ディスク装置内に移動する。
【００２１】
次に、図１〜図８を参照して説明したディスク装置の作用について説明する。まず、搬送時等においてディスク装置が受ける衝撃について説明する。図８は、このディスク装置（図８において符号１で示す）が組み込まれたコンパクトディスクプレーヤ等のシステム９を梱包した状態を示す斜視図であり、Ｚ軸方向プラス側を上、Ｘ軸方向プラス側を右下にして示すものである。システム９は、略直方体形状の筐体９１を有しており、その水平面（ＸＹ平面）における４つのコーナー部分が緩衝材であるクッション９２により保持された状態で、段ボール製の梱包箱９３に収容されている。
【００２２】
図９は、図８に示すように梱包されたシステム９を９０ｃｍの高さよりコンクリート面に自由落下させた時にディスク装置に生じる加速度（衝撃加速度とする。）を示す図である。図９（ａ）、（ｂ）及び（Ｃ）は、それぞれ、ディスク装置をＸ軸方向のプラス側、Ｙ軸方向のプラス側、及びＺ軸方向のマイナス側に落下させた場合の衝撃加速度の測定値を示す。図９（ａ）〜（ｃ）において、縦軸には、衝撃加速度をとり、横軸には経過時間をとる。なお、ディスク装置をＸ軸方向のマイナス側、Ｙ軸方向のマイナス側、及びＺ軸方向のプラス側にそれぞれ落下させた場合には、図９（ａ）〜（ｃ）に対してそれぞれ極性（正負）が反対の波形が得られる。ディスク装置の落下等に伴う衝撃による部品の脱落や破損は、衝撃加速度又は衝撃エネルギー（衝撃加速度と時間の積）の大きさに依存することが知られているが、図９（ａ）〜（ｃ）より、衝撃加速度及び衝撃エネルギーとも、Ｚ軸方向に落下させた場合に最も大きいことが分かる。これは、衝撃エネルギー及び衝撃加速度が、落下時の接地面に対向する筺体９１の表面積にほぼ依存するためと考えられ、ディスク装置が組み込まれた一般的なシステムで普遍的にみられる傾向ということができる。従って、Ｚ軸方向の衝撃に対するディスク装置の耐性を向上させる必要があることが分かる。
【００２３】
このような点を踏まえ、図１〜図９を参照して説明したディスク装置の効果について説明する。図７（ａ）は、当該効果を説明するための概略図である。図７（ｂ）は、図１〜図９を参照して説明したディスク装置に対する比較例、すなわちボス２１ａ，２１ｂが突起２２ａ，２２ｂを有さない場合について説明するための概略図である。ディスク装置が上述したＺ軸方向の衝撃を受けた場合、トラバースユニット２の重量の数十倍に相当する衝撃が、ボス支持部１ａ，１ｂに作用する。このような衝撃によりボス２１ａ，２１ｂが弾性爪１３ａ，１３ｂに衝突すると、図７（ｂ）に示すように、ボス支持部１ａ（側壁１１ａ、溝部１２ａ及び弾性爪１３ａ）と、ボス支持部１ｂ（側壁１１ｂ、溝部１２ｂ及び弾性爪１３ｂ）とが互いに離間する方向に弾性変形しようとする。しかしながら、図１〜図９を参照して説明したディスク装置によれば、図７（ａ）に示すように、側壁１１ａ，１１ｂの互いに離間する方向への弾性変形がトラバースシャーシ２０の突起２２ａ，２２ｂにより抑制されるため、弾性爪１３ａ，１３ｂが弾性変形したとしても、ボス支持部１ａ，１ｂの全体としての弾性変形は抑制される。このように、ボス支持部１ａ，１ｂの全体としての弾性変形が抑制されるため、ボス２１ａ，２１ｂの脱落はきわめて生じにくくなる。その結果、トラバースユニット２がメインシャーシ１０から脱落しにくくなり、耐衝撃性能が向上する。
【００２４】
なお、突起２２ａ，２２ｂの先端部において互いに対向する側の面には、傾斜面２６ａ，２６ｂが形成されている。このテーパ面２６ａ，２６ｂは、ボス２１ａ，２１ｂを溝部１２ａ，１２ｂに挿入する際、突起２２ａ，２２ｂを側壁１１ａ，１１ｂの外側に案内するものである。
【００２５】
以上説明したように、図１〜図９を参照して説明したディスク装置によれば、トラバースユニット２がメインシャーシ１０から脱落しにくくなり、耐衝撃性能が向上する。また、ボス２１ａ，２１ｂに設けた突起２２ａ，２２ｂによりボス支持部１ａ，１ｂの弾性変形を抑制するよう構成したので、弾性変形を抑制するための構成が簡単になる。さらに、弾性爪１３ａ，１３ｂを設けることにより、溝部１２ａ，１２ｂからのボス２１ａ，２１ｂの脱落が防止されると共に、溝部１２ａ，１２ｂへのボス２１ａ，２１ｂの組み込みが簡単に行われる。特に、ボス２１ａ，２１ｂをメインシャーシ１０の溝部１２ａ，１２ｂに対してＺ軸方向に組み込むことができるので、ディスク装置の組立が簡単になる。
【００２６】
次に、本発明の実施の形態１〜３について説明する。
実施の形態１．
図１０及び図１１は、Ｚ軸方向マイナス側を上、Ｙ軸方向プラス側を左下にして示す斜視図である。図１０は、実施の形態１に係るディスク装置にトラバースユニット２が組み込まれる直前の状態を示し、図１１は、ディスク装置にトラバースユニット２が組み込まれた状態を示す。
【００２７】
図１０及び図１１に示すように、メインシャーシ１０において、トラバースシャーシ２０のＸ軸方向外側には、トラバースシャーシ２０のボス２１ａ，２１ｂを支持するボス支持部５ａ，５ｂがそれぞれ形成されている。ボス支持部５ａ，５ｂは、それぞれ、メインシャーシ１０の外周壁１０３からＹ軸方向に延びた側壁６ａ，６ｂを有している。側壁６ａ，６ｂは、いずれも、Ｚ軸方向マイナス側を向いた水平端面（ＸＹ平面に対して平行な端面）を有している。これら側壁６ａ，６ｂのＸ軸方向外側には、外周壁１０２，１０４からＸ軸方向内側に突出形成されたブロック５０ａ，５０ｂが設けられている。
【００２８】
図１２は、ディスク装置における一方のボス支持部を拡大して示す斜視図であり、Ｚ軸方向マイナス側を上、Ｙ軸方向プラス側を右下にして示すものである。図１２に示すように、ボス支持部５ａのブロック５０ａは、メインシャーシ１０の外周壁１０３に対向する鉛直面５１と、外周壁１０２と平行な鉛直面５２と、これら鉛直面５１，５２のＺ軸方向プラス側に形成された水平面５３とを有している。Ｚ軸方向において、水平面５３と側壁６ａとの間には、ボス２１ａの直径よりも僅かに大きい隙間が設けられている。また、ブロック５０ａは、側壁６ａのＹ軸方向マイナス側に隣接して、外周壁１０３に対向する鉛直面５４を有している。ブロック５０ａの水平面５３及び側壁６ａの水平端面により、ボス２１ａのＺ軸方向の位置が規制される。また、ブロック５０ａの鉛直面５４により、ボス２１ａのＹ軸方向マイナス側の位置が規制される。これらブロック５０ａの水平面５３及び鉛直面５４並びに側壁６ａの水平端面に囲まれた部分が、ボス２１ａを挿入する溝部６０ａとなる。
【００２９】
メインシャーシ１０の外周壁１０３から溝部６０ａにかけて、長尺部材である弾性爪７ａがＹ軸方向に延びている。この弾性爪７ａは、外周壁１０３に固定された部分を中心として弾性変形可能に構成されている。この弾性爪７ａは、ブロック５０ａの鉛直面５４に対向する先端面を有し、この先端面によりボス２１ａを溝部６０ａ内で保持し、これによりボス２１ａのＹ軸方向における位置を規制する。また、弾性爪７ａの先端部分には、ボス２１ａを弾性爪７ａに対してＺ軸方向に押し当てたときにボス２１ａに当接する傾斜面７１が形成されている。ボス２１ａを傾斜面７１にＺ軸方向に押し当てることにより、弾性爪７ａが外周壁１０２側に弾性変形する。
【００３０】
なお、弾性爪７ａの外周壁１０２側には、Ｚ軸方向に延びたピン７５ａが形成されている。ボス２１ａを傾斜面７１に押し当てただけでは弾性爪７ａが十分に弾性変形しない場合に、作業者がピン７５ａを指等で付勢することにより弾性爪７ａを弾性変形させることができる。また、弾性爪７ａの先端部には、外周壁１０２側と反対の側に突出する突出部７６が形成されている。突出部７６は、ボス２１ａを溝部６０ａからＹ軸方向に脱落しにくくするためのものである。
【００３１】
なお、図１２では図示を省略するが、他方のボス支持部５ｂは、メインシャーシ１０のＸ軸方向における中心部を中心としてボス支持部５ａとぼぼ対称に構成されている。すなわち、図１１に示すように、ボス支持部５ｂは、側壁６ｂ及びブロック５０ｂにより形成される溝６０ｂにボス２１ｂを支持し、弾性爪７ｂにより位置規制している。これ以外の構成は、図１〜図９を参照して説明したディスク装置と同様である。
【００３２】
ボス２１ａ，２１ｂをボス支持部５ａ，５ｂに挿入するときには、図１０に示すように、ボス２１ａ，２１ｂを弾性爪７ａ，７ｂの各傾斜面７１（図１２）にＺ軸方向に押し当て、弾性爪７ａ，７ｂを互いに離間する方向に弾性変形させる。ボス２１ａ，２１ｂが側壁６ａ，６ｂに当接したところで、ボス２１ａ，２１ｂをＹ軸方向マイナス側に移動させる。これにより、ボス２１ａ，２１ｂは、弾性爪７ａ，７ｂの各突出部７６（図１２）を乗り越えて移動し、図１１に示すように、溝部６０ａ，６０ｂ内に挿入される。このように、ボス支持部５ａ，５ｂへのボス２１ａ，２１ｂの挿入方向はＹ軸方向となる。ボス２１ａ，２１ｂが溝部６０ａ，６０ｂ内に挿入されると、弾性爪７ａ，７ｂは弾性変形前の状態に復帰する。この状態で、ボス２１ａ，２１ｂのＹ軸方向の位置は、ブロック５０ａ，５０ｂの各鉛直面５４（図１２）と弾性爪７ａ，７ｂの各先端面とによって規制される。また、ボス２１ａ，２１ｂのＺ軸方向の位置は、側壁６ａ，６ｂの各水平端面とブロック５０ａ，５０ｂの各水平面５３（図１２）とによって規制される。
【００３３】
ディスク装置が落下等によりＺ軸方向の衝撃を受けると、図１〜図９を参照して説明したディスク装置と同様、トラバースユニット２の重量の数十倍に相当する衝撃がボス支持部５ａ，５ｂに作用する。しかしながら、この実施の形態１では、ボス２１ａ，２１ｂのボス支持部５ａ，５ｂへの挿入方向がＹ軸方向であり、最も大きな衝撃を受けるＺ軸方向ではないため、ボス２１ａ，２１ｂはボス支持部５ａ，５ｂから脱落しにくい。言い換えると、ボス２１ａ，２１ｂは、比較的変形しにくいブロック５０ａ，５０ｂ及び側壁６ａ，６ｂによりＺ軸方向に位置規制されているため、ボス支持部５ａ，５ｂから脱落しにくい。
【００３４】
このように構成されているため、実施の形態１によれば、トラバースユニット２の脱落がより生じにくくなり、耐衝撃性能がさらに向上する。また、ボス２１ａ，２１ｂをボス支持部５ａ，５ｂに挿入する際、弾性爪７ａ，７ｂに沿ってボス２１ａ，２１ｂを移動させ、溝部６０ａ，６０ｂに挿入できるようにしたので、ボス２１ａ，２１ｂの組み込みが簡単になる。
【００３５】
実施の形態２．
図１３及び図１４は、Ｚ軸方向マイナス側を上、Ｙ軸方向プラス側を左下にして示す斜視図である。図１３は、実施の形態２に係るディスク装置のトラバースユニット２が組み込まれる直前の状態を示し、図１４は、ディスク装置にトラバースユニット２が組み込まれた状態を示す。実施の形態２に係るディスク装置では、メインシャーシ１０のボス支持部５ａ，５ｂは、実施の形態１と同様に構成されている。すなわち、ボス２１ａ，２１ｂのボス支持部５ａ，５ｂへの挿入方向がＹ軸方向であり、これによりボス２１ａ，２１ｂがボス支持部５ａ，５ｂから脱落しにくい構成となっている。これに加えて、この実施の形態２では、トラバースシャーシ２０のボス２１ａ，２１ｂの先端部に、図１〜図９を参照して説明したディスク装置と同様の突起２２ａ，２２ｂが形成されている。この突起２２ａ，２２ｂは、ボス支持部５ａ，５ｂの側壁６ａ，６ｂの外側の面に当接可能に対向する。
【００３６】
図１５は、実施の形態２により得られる効果を模式的に示す概略図であり、Ｚ軸方向マイナス側を上、Ｘ軸方向プラス側を右にして示すものである。上述したように、ボス２１ａ，２１ｂの先端に形成された突起２２ａ，２２ｂがボス支持部５ａ，５ｂの側壁６ａ，６ｂの外側の面に当接可能に対向するため、ディスク装置が落下等による衝撃がボス支持部５ａ，５ｂに作用した場合、ボス支持部５ａ，５ｂが互いに離間する方向に弾性変形しようとしても、その弾性変形は、突起２２ａ，２２ｂによって抑制される。
【００３７】
このように、実施の形態２では、実施の形態２の構成に加え、ボス２１ａ，２１ｂの突起２２ａ，２２ｂによりボス支持部５ａ，５ｂの互いに離間する方向への弾性変形を抑制するようにしたので、ボス支持部５ａ，５ｂからのボス２１ａ，２１ｂの脱落は、ボス２１ａ，２１ｂ又はボス支持部５ａ，５ｂが破損しない限り、きわめて生じにくくなる。従って、トラバースユニット２の脱落がさらに抑制され、耐衝撃性能がさらに向上する。
【００３８】
実施の形態３．
図１６は、Ｚ軸方向マイナス側を上、Ｙ軸方向プラス側を右下にして示すものであり、図１７及び図１８は、Ｚ軸方向マイナス側を上、Ｙ軸方向プラス側を左下にして示す斜視図である。図１６は、実施の形態３に係るディスク装置のトラバースシャーシ２０を示す。また、図１７は、実施の形態３に係るディスク装置のトラバースユニット２が組み込まれる直前の状態を示し、図１８は、ディスク装置にトラバースユニット２が組み込まれた状態を示す。図１６及び図１７に示すように、実施の形態３に係るトラバースシャーシ２０のボス２１ａ，２１ｂは、それぞれの先端部に、実施の形態２で説明した突起２２ａ，２２ｂに加えて、突起２５ａ，２５ｂを有している。突起２５ａは、突起２２ａよりもさらにボス２１ａの先端側に形成されており、突起２２ａと反対の側に突出している。同様に、突起２５ｂは、突起２２ｂよりもさらにボス２１ｂの先端側に形成されており、突起２２ｂと反対の側に突出している。
【００３９】
図１９は、実施の形態３により得られる効果を模式的に示す概略図であり、Ｚ軸方向マイナス側を上、Ｘ軸方向プラス側を右にして示すものである。ボス２１ａ，２１ｂをボス支持部５ａ，５ｂに挿入すると、ボス２１ａ，２１ｂの突起２２ａ，２２ｂが側壁６ａ，６ｂの外側の面に当接可能に対向するのに加えて、ボス２１ａ，２１ｂの突起２５ａ，２５ｂが、ブロック５０ａ，５０ｂに形成された切欠き部５５ａ，５５ｂの内面（Ｘ軸方向外側を向いた面）５６ａ，５６ｂに当接可能に対向する。
【００４０】
このように構成されているため、ディスク装置の落下等による衝撃がボス支持部５ａ，５ｂに作用した場合、ボス支持部５ａ，５ｂが互いに離間する方向に弾性変形しようとしても、この弾性変形は、ボス２１ａ，２１ｂの突起２５ａ，２５ｂがブロック５０ａ，５０ｂの内面５６ａ，５６ｂに当接することにより抑制される。また、ボス支持部５ａ，５ｂの弾性変形は、実施の形態２と同様、ボス２１ａ，２１ｂの突起２２ａ，２２ｂが側壁６ａ，６ｂに当接することによっても抑制される。
【００４１】
このように、実施の形態３では、実施の形態２の構成に加え、ボス２１ａ，２１ｂに形成された突起２５ａ，２５ｂにより、ボス支持部５ａ，５ｂの弾性変形がさらに抑制されるため、ボス２１ａ，２１ｂのボス支持部５ａ，５ｂからの脱落は、ボス２１ａ，２１ｂ又はボス支持部５ａ，５ｂが破損しない限り、きわめて生じにくくなる。従って、トラバースユニット２の脱落が一層抑制され、耐衝撃性能が一層向上する。
【図面の簡単な説明】
【００４２】
【図１】本発明の技術的背景を説明するためのディスク装置を示す斜視図である。
【図２】図１に示したディスク装置のトラバースシャーシを示す斜視図である。
【図３】図１に示したディスク装置からトラバースユニットを取り外した状態を示す斜視図である。
【図４】図１に示したディスク装置にトラバースユニットが組み込まれる直前の状態を示す斜視図である。
【図５】図１に示したディスク装置を示す斜視図である。
【図６】図１に示したディスク装置において、トレイが排出位置にある状態を示す斜視図である。
【図７】図１に示したディスク装置を落下させたときの衝撃加速度の測定例を示す図である。
【図８】図１に示したディスク装置により得られる効果を説明するための概略図である。
【図９】図１に示したディスク装置が組み込まれたシステムをＺ軸方向プラス側から見た斜視図である。
【図１０】本発明の実施の形態１に係るディスク装置にトラバースユニットが組み込まれる直前の状態を示す斜視図である。
【図１１】本発明の実施の形態１に係るディスク装置を示す斜視図である。
【図１２】本発明の実施の形態１に係るディスク装置のボス支持部を拡大して示す斜視図である。
【図１３】本発明の実施の形態２に係るディスク装置にトラバースユニットが組み込まれる直前の状態を示す斜視図である。
【図１４】本発明の実施の形態２に係るディスク装置を示す斜視図である。
【図１５】本発明の実施の形態２に係るディスク装置により得られる効果を説明するための概略図である。
【図１６】本発明の実施の形態３に係るディスク装置のトラバースシャーシを示す斜視図である。
【図１７】本発明の実施の形態３に係るディスク装置にトラバースユニットが組み込まれる直前の状態を示す斜視図である。
【図１８】本発明の実施の形態３に係るディスク装置を示す斜視図である。
【図１９】本発明の実施の形態３に係るディスク装置により得られる効果を説明するための概略図である。
【符号の説明】
【００４３】
１  ディスク装置
１ａ，１ｂ，５ａ，５ｂ  ボス支持部
２  トラバースユニット
４  トレイ
６ａ，６ｂ，１１ａ，１１ｂ  側壁
７ａ，７ｂ，１３ａ，１３ｂ  弾性爪
１０  メインシャーシ
１２ａ，１２ｂ  溝部
２０  トラバースシャーシ
２１ａ，２１ｂ  ボス
２２ａ，２２ｂ  突起
２３  カムピン
２５ａ，２５ｂ  突起
３０  ターンテーブル
３５  ピックアップ
５０ａ，５０ｂ  ブロック
６０ａ，６０ｂ  溝部
９  システム